(57)【要約】      （修正有）【課題】片流れ屋根及び水平状屋根等の外縁に出来る雪庇を生成しにくくする雪庇防止装置を提供する。【解決手段】屋根の外縁に生じる雪庇を防止するため長尺状の平面部を有しており、この長尺状平面部を屋根外縁部から所定の間隔を隔ててその短手方向を鉛直方向に固定するための取付部材を備え、長手方向を前記外縁部に沿って配置し、風を通す隙間を設け、その長尺状平面下端部が屋根最上端より高く外方に位置する。【選択図】図１
0003175753.tif 000002
【実用新案登録請求の範囲】
【請求項１】
屋根の外縁に生じる雪庇を防止するための長尺状の平面部を有しており、この長尺状平面部を屋根外縁部から所定の間隔を隔ててその長手方向を前記外縁部に沿って配置し、上下方向を鉛直方向に固定して風を通す隙間を設け、その長尺状平面下端部が屋根最上端より高く外方に位置することを特徴とする雪庇防止装置。
【請求項２】
請求項１において、前記長尺状平面部には、この長尺状平面部と屋根外縁部との間に所定の隙間を形成して、前記長尺状平面下端部が屋根最上端より高く外方に位置するための隙間形成支持部が設けられていることを特徴とする雪庇防止装置。
【請求項３】
請求項１において、前記長尺状平面部には、この長尺状平面上端部と屋根外縁部との間に風圧に対抗する補強形成支持部が設けられていることを特徴とする雪庇防止装置。
【請求項４】
請求項２において、前記長尺状平面部の屋根側の面には、前記隙間形成支持部を連結するための一対の挿入口が設けられており、前記隙間形成支持先端部には、挿入口に挿入されえる幅を備え連結し、前記隙間形成支持基端部を屋根の瓦棒または立平部分の外縁に雪止め金具を取付けし連結させて固定してなることを特徴とする雪庇防止装置。
【考案の詳細な説明】
【技術分野】
【０００１】  本考案は、片流れ屋根及び水平状屋根等の外縁に出来る雪庇防止装置に関するものである。
【背景技術】
【０００２】  多雪地帯では、建築物屋根の風下側外縁に積雪が迫り出し、雪庇が出来やすいという問題がある。雪は大きく成長すると落下し通行中の歩行者に当たってしまうなどの事故となってしまうため様々な対策が提案されている。【０００３】  従来の雪庇対策としては、手作業で雪庇を落としていたが危険を伴い作業には労力を要するため屋根に熱源を設置して雪を溶かす方法、積雪の圧密効果を利用して積もった余分な雪を切り落とし落下させる方法などが知られている。
【考案の概要】
【考案が解決しようとする課題】
【０００４】  しかしながら、前者の方法では熱源の雪庇防止装置を稼働するには電力を供給し続ける必要があるため維持コストがかかるとともに、降雪量が多い場合には空洞化現象が起こって融けにくくなるという問題がある。また、後者の方法では降雪量が多いときに効果が少なく雪を落下させるという点で依然として危険性を伴うという問題がある。【０００５】  本考案は、このような問題点を解決するためになされたものであって、片流れ屋根及び水平状屋根等の外縁に出来る雪庇を降雪量が多い場合でも生成しにくくする雪庇防止装置を提供することを目的とする。
【課題を解決するための手段】
【０００６】  本考案は、屋根の外縁に生じる雪庇を防止するための長尺状の平面部を有しており、この長尺状平面部を屋根外縁部から所定の間隔を隔ててその長手方向を前記外縁部に沿って配置し、上下方向を鉛直方向に固定して風を通す隙間を設け、その長尺状平面下端部が屋根最上端より高く外方に位置することを特徴とするものである。【０００７】  また、本考案において、前記長尺状平面部には、この長尺状平面部と屋根外縁部との間に所定の隙間を形成して、前記長尺状平面下端部が屋根最上端より高く外方に位置するための隙間形成支持部が設けられていることを特徴とするものである。【０００８】  さらに、本考案において、前記長尺状平面部には、この長尺状平面上端部と屋根外縁部との間に風圧に対抗する補強形成支持部が設けられていることを特徴とするものである。【０００９】  また、本考案において、前記長尺状平面部の屋根側の面には、前記隙間形成支持部を連結するための一対の挿入口が設けられており、前記隙間形成支持先端部には、挿入口に挿入されえる幅を備え連結し、前記隙間形成支持基端部を屋根の瓦棒または立平部分の外縁に雪止め金具を取付けし連結させて固定してなることを特徴とするものである。
【考案の効果】
【００１０】  本考案によれば、安価で特別な熱源を使用せずに簡単な施工によって、片流れ屋根及び水平状屋根等の外縁に出来る雪庇を容易に防止できるので、装置の維持コストをほとんど必要としない。【００１１】  さらに、屋根の雪下ろし作業の労力を減少させ通行人などの安全性を確保することができる。
【図面の簡単な説明】
【００１２】
【図１】雪庇防止装置を屋根外縁部に設置した斜視図である。
【図２】模式側面図である。
【図３】長尺状平面部を示す斜視図である。
【図４】隙間形成支持部を示す側面図である。
【図５】補強形成支持部を示す側面図である。
【図６】屋根最上段上方に長尺状平面部が取付けられている状態を示す側面図である。
【図７】屋根最上段内方に長尺状平面部が取付けられている状態を示す側面図である。
【図８】本実施例において雪庇防止装置の一部を外した状態を示す外観写真である。
【図９】本実施例において雪庇防止装置の一部を外した状態で形成された雪庇の外観写真である。
【考案を実施するための形態】
【００１３】  本考案の雪庇防止装置１は、片流れ屋根及び水平状屋根等の外縁部２に取り付けられるものであり、長尺状平面部３と屋根外縁部２との間に所定に隙間６が形成され、長尺状平面下端部３ｂが屋根最上端部２ａより高く外方に位置するための隙間形成支持部４とから構成されている。
【００１４】  長尺状平面部３は、屋根側の面３ｃをアルミパネル材等に、屋根側の反対の面３ｄをアルミ外壁材等に、四方をアルミコの字材等によって長尺状の平面に形成され、上下方向を鉛直方向に固定し、その長手方向に沿って屋根外縁２との間に所定の隙間６を形成するためのものである。その長尺状平面部３の屋根側の面３ｃには、隙間形成支持先端部４ａを連結するための一対の挿入口３ｅが設けられている。長尺状平面部３に使用する材料は、耐腐食性や強度に優れたアルミニウムで形成されるのが好ましいが、これに限られるものでなく、金属材料、木質材料、合成樹脂材料、ステンレス材料などの適当な材料で形成されてもよい。また、長尺状平面部３の上下方向を実質的に鉛直方向に取付けさせているがこれに限られるものでなく外縁の形状等に合わせて適当な角度に傾斜させてもよい。
【００１５】  隙間形成支持部４は、長尺状平面下端部３ｂが屋根最上端部２ａより高く外方に位置するための横断面が階段状に形成されており、屋根外縁部２と長尺状平面部３との間に風を通す隙間６を形成して長尺状平面部３を支持するものである。その隙間形成支持先端部４ａは、長尺状平面部３の屋根側の面３ｃの挿入口３ｅに連結される。また、隙間形成基端部４ｂは、屋根外縁部２の瓦棒または立平部分７に雪止め金具８を取付けし連結させて固定される。隙間形成支持部４に使用する材料は、耐腐食性や強度に優れたアルミニウムで形成されるのが好ましいが、金属材料、ステンレス材料などの適当な材料で形成されてもよい。また、隙間形成支持部４は階段状に形成されているが、これに限られるものでなく長尺状平面下端部３ｂが、屋根最上端部２ａより高く外方に位置するようになっている状態であれば本考案の範囲内に含まれる。
【００１６】  補強形成支持部５は、長尺状平面上端部３ａと屋根外縁部２とをステンレスワイヤ等によって連結し、風圧に対抗して長尺状平面部３を支持するものである。補強形成先端部５ａは長尺状平面上端部３ａに連結される。また、補強形成基端部５ｂは、屋根外縁部２の瓦棒または立平部分７に雪止め金具８を取付けし連結させて固定される。また、補強形成支持部５に使用する材料は、ステンレスで形成されるのが好ましいが、これに限られるものでなく、アルミニウム材料、金属材料等などの適当な材料で形成されてもよい。
【００１７】  なお、隙間形成支持基端部４ｂ、補強形成支持基端部５ｂは、屋根の瓦棒または立平部分７に雪止め金具８を取付けし連結させて固定しているが、これに限られるものでなく直接屋根へ固定してもよい。
【００１８】  図２は、屋根外縁部２に雪庇防止装置１が取付けられている状態を示した模式側面図である。いま、風が図２において左方から右方に向かって吹いているものとする。長尺状平面部３の屋根側の面３ｃに突き当たった風は、長尺状平面部３と屋根外縁部２との空間が狭くて風速が強められるため矢印で示されるように下方に吹き込む。これにより雪庇を容易に防止できる。また、記録的な大雪があると、雪庇が長尺状平面部３を巻き込むように成長し隙間６を塞いでしまうことが考えられる。この場合、隙間６に風が通らなくなり、雪庇防止効果が低減してしまうおそれがある。したがってこのような大雪を想定し長尺状平面下端部３ｂが屋根最上端部２ａより高く外方に位置することにより雪庇を容易に防止できる。
【００１９】  図１及び図２に示される例では、長尺状平面下端部３ｂが屋根最上端部２ａより高く外方に位置するものと示されているが、長尺状平面下端部３ｂが屋根最上端部２ａの実質的に上方に位置するように長尺状平面部３を取付けてもよく（図６参照）、または、長尺状平面下端部３ｂが屋根最上端２ａよりも内方に位置するように長尺状平面部３を取付けてもよい（図７参照）。
【００２０】  本考案は、以上の発明の実施形態に限定されることなく、実用新案登録請求の範囲内で色々の変更が可能であり、それらも本発明の範囲内に含まれることであることはいうまでもない。
【実施例】  本実施例では、図８に示すように雪庇防止装置１を屋根外縁部２に取付けし、一部を取外した状態を示す外観写真である。雪庇防止装置１を取外した外縁では、巨大な雪庇が迫り出しているのに対し、雪庇防止装置１を取付けた外縁においては、雪庇はまったく見られなかった。以上のように、本実施例によれば雪庇防止効果が一目瞭然に実証された。
【符号の説明】
【００２１】１、雪庇防止装置
２、屋根外縁部
２ａ、屋根最上端
３、長尺状平面部
３ａ、長尺状平面上端部
３ｂ、長尺状平面下端部
３ｃ、屋根側の面
３ｄ、屋根側反対の面
３ｅ、挿入口
４、隙間形成支持部
４ａ、隙間形成支持先端部
４ｂ、隙間形成支持基端部
５、補強形成支持部
５ａ、補強形成支持先端部
５ｂ、補強形成支持基端部
６、隙間
７、瓦棒または立平部分
８、雪止め金具
【図１】
0003175753.tif 000003
【図２】
0003175753.tif 000004
【図３】
0003175753.tif 000005
【図４】
0003175753.tif 000006
【図５】
0003175753.tif 000007
【図６】
0003175753.tif 000008
【図７】
0003175753.tif 000009
【図８】
0003175753.tif 000010
【図９】
0003175753.tif 000011
【手続補正書】
【提出日】平成24年2月29日(2012.2.29)
【手続補正１】
【補正対象書類名】実用新案登録請求の範囲
【補正対象項目名】請求項１
【補正方法】変更
【補正の内容】
【請求項１】
屋根の外縁に生じる雪庇を防止するための長尺状の平面部を有しており、この長尺状平面部を屋根外縁部から所定の間隔を隔ててその短手方向を鉛直方向に固定するための取付部材とを備え、長手方向を前記外縁部に沿って配置し風を通す隙間を設け、その長尺状平面下端部が屋根最上端より高く外方に位置することを特徴とする雪庇防止装置。
【手続補正２】
【補正対象書類名】実用新案登録請求の範囲
【補正対象項目名】請求項２
【補正方法】変更
【補正の内容】
【請求項２】
前記長尺状平面部には、この長尺状平面部と屋根外縁部との間に所定の隙間を形成して、前記長尺状平面下端部が屋根最上端より高く外方に位置するための隙間形成支持部が設けられていることを特徴とする請求項１に記載の雪庇防止装置。
【手続補正３】
【補正対象書類名】実用新案登録請求の範囲
【補正対象項目名】請求項３
【補正方法】変更
【補正の内容】
【請求項３】
前記長尺状平面部の上端部には、屋根外縁部との間に所定の隙間を形成して前記長尺状平面部が風圧等に対抗するための補強形成支持部が設けられていることを特徴とする請求項１に記載の雪庇防止装置。
【手続補正４】
【補正対象書類名】実用新案登録請求の範囲
【補正対象項目名】請求項４
【補正方法】変更
【補正の内容】
【請求項４】
前記長尺状平面部の屋根側の面には、前記隙間形成支持部を連結するための一対の挿入口が設けられており、前記隙間形成支持先端部には、挿入口に挿入されえる幅を備え連結し、前記隙間形成支持基端部を屋根の瓦棒または立平部分の外縁に雪止め金具を取付し連結させて固定してなることを特徴とする請求項２に記載の雪庇防止装置。
【手続補正５】
【補正対象書類名】明細書
【補正対象項目名】０００６
【補正方法】変更
【補正の内容】
【０００６】  本考案は、屋根の外縁に生じる雪庇を防止するための長尺状の平面部を有しており、この長尺状平面部を屋根外縁部から所定の間隔を隔ててその短手方向を鉛直方向に固定するための取付部材とを備え、長手方向を前記外縁部に沿って配置し風を通す隙間を設け、その長尺状平面下端部が屋根最上端より高く外方に位置することを特徴とするものである。
【手続補正６】
【補正対象書類名】明細書
【補正対象項目名】０００８
【補正方法】変更
【補正の内容】
【０００８】  さらに、本考案において、前記長尺状平面部の上端部には、屋根外縁部との間に所定の隙間を形成して前記長尺状平面部が風圧等に対抗するための補強形成支持部が設けられていることを特徴とするものである。
【手続補正７】
【補正対象書類名】明細書
【補正対象項目名】００１４
【補正方法】変更
【補正の内容】
【００１４】  長尺状平面部３には、屋根側の面３ｃをアルミパネル材等に、屋根側の反対の面３ｄをアルミ外壁材等に、四方をアルミコの字材等によって長尺状の平面に形成され、短手方向を鉛直方向に固定し、その長手方向に沿って屋根外縁２との間に所定の隙間６を形成するためのものである。その長尺状平面部３の屋根側の面３ｃには、隙間形成支持先端部４ａを連結するための一対の挿入口３ｅが設けられている。長尺状平面部３に使用する材料は、耐腐食性や強度に優れたアルミニウムで形成されるのが好ましいが、これに限られるものでなく、金属材料、木質材料、合成樹脂材料、ステンレス材料などの適当な材料で形成されてもよい。また、長尺状平面部３の短手方向を実質的に鉛直方向に取り付けさせているがこれに限られるものでなく外縁の形状等に合わせて適当な角度に傾斜させてもよい。